(57)【要約】【課題】  本発明は、部品点数を少なくして組立工数を少なくすると共に組立が容易なキーボードスイッチを提供すること。【解決手段】  本発明のキーボードスイッチの複数の第１、第２、第３リンク部材５、６、７は、互いに対向して形成された一端部５ａ、６ａ、７ａと他端部５ｇ、６ｇ、７ｇとを有すると共に、それぞれが交叉しないように配設され、一端部５ａ、６ａ、７ａがキートップに形成した第１、第２、第３スライド支持部３ａ、３ｂ、４ａにそれぞれスライド自在に支持されると共に、他端部５ｇ、６ｇ、７ｇがベースプレート１０に形成した第１、第２、第３回動支持部１０ａ、１０ｂ、１０ｃに回動自在に支持されている。【選択図】        図２
2004281366.tif 000002
【特許請求の範囲】
【請求項１】
キートップと、このキートップと対向する側に絶縁性のフィルムシートを介して配設されたベースプレートと、前記キートップを前記ベースプレートから所定高さの位置に弾性付勢する弾性部材と、前記キートップを前記ベースプレートに対して昇降自在に支持可能な複数のリンク部材と、前記キートップの前記昇降により開閉可能な接点部とを備え、
前記複数のリンク部材は、互いに対向して形成された一端部と他端部とを有すると共にそれぞれが交叉しないように配設され、前記一端部が前記キートップに形成したスライド支持部にそれぞれスライド自在に支持されると共に、前記他端部が前記ベースプレートに形成した回動支持部に回動自在に支持されていることを特徴とするキーボードスイッチ。
【請求項２】
前記リンク部材には、前記一端部および前記他端部と直交する方向に互いに対向して一辺部と他辺部とが形成され、前記一端部側の前記一辺部と前記他辺部とには、それぞれ外向きに突出する第１軸部が形成され、前記他端部側の前記一辺部と前記他辺部とには、前記第１軸部と同方向に突出する第２軸部が形成され、前記第１軸部を前記キートップの前記スライド支持部にスライド自在に支持すると共に前記第２軸部を前記ベースプレートの前記回動支持部に回動自在に支持したことを特徴とする請求項１記載のキーボードスイッチ。
【請求項３】
前記複数のリンク部材は、第１、第２、第３リンク部材からなり、前記第１、第２リンク部材は、前記弾性部材を挟んで互いに対向して配設され、前記第３リンク部材は、前記第１、第２リンク部材の外側に位置した状態で、前記第１、第２軸部が前記第１、第２リンク部材の前記第１、第２軸部の突出方向と直交する方向に配設されていることを特徴とする請求項２記載のキーボードスイッチ。
【請求項４】
前記キートップは、中央部付近が前記弾性部材に弾性付勢され、前記キートップの前記スライド支持部に支持されれる前記リンク部材のそれぞれの前記第１軸部は、前記第２軸部より前記弾性部材に近い側に配置されていることを特徴とする請求項２または３記載のキーボードスイッチ。
【請求項５】
前記スライド支持部は、互いに対向して３組形成され、前記第１リンク部材の前記第１軸部を支持する第１スライド支持部と、前記第２リンク部材の前記第１軸部とを支持する第２スライド支持部とは、前記キートップに形成した形成した第１支持壁に隣り合わせて設けられ、前記キートップが所定の上昇位置になると前記第１、第２リンク部材の前記第１軸部が前記第１、第２スライド支持部内で動きが規制されて、前記キートップが所定の上昇位置より上に上昇しないようになっていることを特徴とする請求項２乃至４のいずれかに記載のキーボードスイッチ。
【請求項６】
前記第３リンク部材の前記第１軸部を支持する第３スライド支持部は、前記キートップに形成した第２支持壁に設けられ、前記第３リンク部材は、前記他端部を前記第２軸部より外側に突出形成し、前記キートップが前記上昇位置に上昇すると、前記他端部が前記フィルムシートを介して前記ベースプレートに当接して前記キートップが前記上昇位置より上に上昇しないようになっていることを特徴とする請求項２乃至５のいずれかに記載のキーボードスイッチ。
【請求項７】
前記リンク部材のそれぞれの第１軸部は、先端部がテーパ状に形成されていることを特徴とする請求項２乃至６のいずれかに記載のキーボードスイッチ。
【請求項８】
前記ベースプレートは、金属板からなり、前記回動支持部には、一方側が開放されたＬ字状の支持部が形成され、この支持部に支持した前記リンク部材の前記第２軸部を抜け止めするために、前記ベースプレートの一部を切り起こしして抜け止め部を形成したことを特徴とする請求項２乃至７のいずれかに記載のキーボードスイッチ。
【請求項９】
前記抜け止め部は、第１の切り起こしで前記ベースプレートに対する切り起こし角度が鋭角に形成され、前記第１の切り起こし状態の前記抜け止め部を前記リンク部材の前記他端部で押し下げて、前記第２軸部を前記支持部に仮止め支持し、その後、前記抜け止め部を直角状に切り起こしする第２の切り起こしで、前記リンク部材の前記第２軸部を前記支持部から抜け止めするようにしたことを特徴とする請求項８記載のキーボードスイッチ。
【発明の詳細な説明】
【技術分野】
【０００１】
本発明はキーボードスイッチに係わり、特にキートップを複数のリンク部材で支持したキーボードスイッチに関する。
【背景技術】
【０００２】
従来のキーボードスイッチを図１７に基づいて説明すると、従来のキーボードスイッチ３１は、下部側にベースフレーム３２が配設され、このベースフレーム３２と対向する上方にキートップ３３が配設されている。
前記ベースフレーム３２は、下面側に３層のフィルムシートを積層して形成したメンブレンスイッチ３４が配設され、このメンブレンスイッチ３４が金属パネル３５とベースフレーム３２との間に狭持されている。
また、ベースフレーム３２には、丸孔３６が貫通形成され、この丸孔３６の周囲に、ベースフレーム３２から立ち上がって、それぞれベースフレーム３２と平行に外側に延びるスライドガイド部３７、３８が形成され、このスライドガイド部３７、３８に一対のリンク部材４３、４３の下部回動軸４３ｂ、４３ｂがスライド自在に支持されている。
【０００３】
また、キートップ３３の裏面には、リンク部材４３、４３の上部回動軸４３ａ、４３ａを回転自在に支持する、すり割り状の軸受４０、４１が形成されている。
前記スライドガイド部３７、３８の外側のベースフレーム３２には、それぞれ台座４５、４６が突出形成されている。
そして、キートップ３３を組み付ける前において、リンク部材４３、４３の下部回動軸４３ｂ、４３ｂをスライドガイド部３７、３８に挿入して、リンク部材４３、４３を水平状態にすると、上部回動軸４３ａ、４３ａが台座４５、４６で位置決めされるようになっている。
また、ベースフレーム３２の丸孔３６には、内部がドーム状に形成された弾性部材４９が取り付けられており、弾性部材４９の位置決め部４９ａにキートップ３３の位置決め部３３ａが圧入可能になっている。
【０００４】
このような構成の従来のキーボード装置３１の組立は、まず、ベースフレーム３２と金属パネル３５との間にメンブレンスイッチ３４を狭持した状態で、ベースフレーム３２の丸孔３６に弾性部材４９を接着剤等で固着する。
次に、ベースフレーム３２のスライドガイド部３７、３８にリンク部材４３、４３の下部回動軸４３ｂ、４３ｂを挿入すると共に、上部回動軸４３ａ、４３ａを台座４５、４６に位置させることにより、リンク部材４３、４３がベースフレーム３２と平行状態となって位置決めされる。
【０００５】
前記台座４５、４６に位置決めした状態のリンク部材４３、４３の上方から、キートップ３３の位置決め部３３ａを弾性部材４９の位置決め部４９ａに位置合わせして、キートップ３３を下方に押圧すると、弾性部材４９が弾性変形すると共にキートップ３３の位置決め部３３ａが弾性部材４９の位置決め部４９ａに圧入される。同時に、すり割り状の軸受４０、４１が台座４５、４６に位置決めされたリンク部材４３、４３の上部回動軸４３ａ、４３ａにスナップ嵌合する。
その後、キートップ３３に加えていた押圧力を解除すると、弾性部材４９の弾性力でキートップ３３が所定位置まで上昇すると共に、リンク部材４３、４３の下部回動軸４３ｂ、４３ｂがスライドガイド部３７、３８内を外側にスライドする。    
【０００６】
【特許文献１】特開平１１−１６４４０号公報          特開２００２−３７３５４４号公報
【発明の開示】
【発明が解決しようとする課題】
【０００７】
しかし、従来のキーボードスイッチ３１は、リンク部材４３、４３を位置決めするための部材である台座４５、４６が必要であったので、ベースフレーム３２を無くすることができず、部品点数が多くなる問題があった。
また、組立時には、リンク部材４３、４３の上部回動軸４３ａ、４３ａをベースフレーム３２の台座４５、４６に位置決めしていたので、組立工数が多くなる問題があった。
【０００８】
本発明のキーボードスイッチは、前述したような問題点に鑑みてなされたもので、ベースフレームを無くして部品点数を少なくすることができると共に、組立工数を少なくして組立が容易なキーボードスイッチを提供することを目的とするものである。
【課題を解決するための手段】
【０００９】
前記課題を解決するための第１の手段として本発明のキーボードスイッチは、キートップと、このキートップと対向する側に絶縁性のフィルムシートを介して配設されたベースプレートと、前記キートップを前記ベースプレートから所定高さの位置に弾性付勢する弾性部材と、前記キートップを前記ベースプレートに対して昇降自在に支持可能な複数のリンク部材と、前記キートップの前記昇降により開閉可能な接点部とを備え、
前記複数のリンク部材は、互いに対向して形成された一端部と他端部とを有すると共にそれぞれが交叉しないように配設され、前記一端部が前記キートップに形成したスライド支持部にそれぞれスライド自在に支持されると共に、前記他端部が前記ベースプレートに形成した回動支持部に回動自在に支持されていることを特徴とする。
【００１０】
また、前記課題を解決するための第２の手段として、前記リンク部材には、前記一端部および前記他端部と直交する方向に互いに対向して一辺部と他辺部とが形成され、前記一端部側の前記一辺部と前記他辺部とには、それぞれ外向きに突出する第１軸部が形成され、前記他端部側の前記一辺部と前記他辺部とには、前記第１軸部と同方向に突出する第２軸部が形成され、前記第１軸部を前記キートップの前記スライド支持部にスライド自在に支持すると共に前記第２軸部を前記ベースプレートの前記回動支持部に回動自在に支持したことを特徴とする。
【００１１】
また、前記課題を解決するための第３の手段として、前記複数のリンク部材は、第１、第２、第３リンク部材からなり、前記第１、第２リンク部材は、前記弾性部材を挟んで互いに対向して配設され、前記第３リンク部材は、前記第１、第２リンク部材の外側に位置した状態で、前記第１、第２軸部が前記第１、第２リンク部材の前記第１、第２軸部の突出方向と直交する方向に配設されていることを特徴とする。
【００１２】
また、前記課題を解決するための第４の手段として、前記キートップは、中央部付近が前記弾性部材に弾性付勢され、前記キートップの前記スライド支持部に支持されれる前記リンク部材のそれぞれの前記第１軸部は、前記第２軸部より前記弾性部材に近い側に配置されていることを特徴とする。
【００１３】
また、前記課題を解決するための第５の手段として、前記スライド支持部は、互いに対向して３組形成され、前記第１リンク部材の前記第１軸部を支持する第１スライド支持部と、前記第２リンク部材の前記第１軸部とを支持する第２スライド支持部とは、前記キートップに形成した形成した第１支持壁に隣り合わせて設けられ、前記キートップが所定の上昇位置になると前記第１、第２リンク部材の前記第１軸部が前記第１、第２スライド支持部内で動きが規制されて、前記キートップが所定の上昇位置より上に上昇しないようになっていることを特徴とする。
【００１４】
また、前記課題を解決するための第６の手段として、前記第３リンク部材の前記第１軸部を支持する第３スライド支持部は、前記キートップに形成した第２支持壁に設けられ、前記第３リンク部材は、前記他端部を前記第２軸部より外側に突出形成し、前記キートップが前記上昇位置に上昇すると、前記他端部が前記フィルムシートを介して前記ベースプレートに当接して前記キートップが前記上昇位置より上に上昇しないようになっていることを特徴とする。
【００１５】
また、前記課題を解決するための第７の手段として、前記リンク部材のそれぞれの第１軸部は、先端部がテーパ状に形成されていることを特徴とする。
【００１６】
また、前記課題を解決するための第８の手段として、前記ベースプレートは、金属板からなり、前記回動支持部には、一方側が開放されたＬ字状の支持部が形成され、この支持部に支持した前記リンク部材の前記第２軸部を抜け止めするために、前記ベースプレートの一部を切り起こしして抜け止め部を形成したことを特徴とする。
【００１７】
また、前記課題を解決するための第９の手段として、前記抜け止め部は、第１の切り起こしで前記ベースプレートに対する切り起こし角度が鋭角に形成され、前記第１の切り起こし状態の前記抜け止め部を前記リンク部材の前記他端部で押し下げて、前記第２軸部を前記支持部に仮止め支持し、その後、前記抜け止め部を直角状に切り起こしする第２の切り起こしで、前記リンク部材の前記第２軸部を前記支持部から抜け止めするようにしたことを特徴とする。
【発明の効果】
【００１８】
以上述べたように、本発明のキーボードスイッチの複数のリンク部材は、一端部がキートップに形成したスライド支持部にそれぞれスライド自在に支持されると共に、他端部がベースプレートに形成した回動支持部にそれぞれ回動自在に支持されているので、キートップを組み付ける前のリンク部材の位置が自動的に決まり、組立が容易である。
また、従来例のようなリンク部材を位置決めするための台座を形成したベースフレームが不要になり、部品点数を削減できる。
【００１９】
また、複数のリンク部材は、第１軸部をキートップのスライド支持部にスライド自在に支持すると共に第２軸部をベースプレートの回動支持部に回動自在に支持しているので、ベースプレートに対してキートップを確実に上下動自在に支持することができる。
【００２０】
また、第１、第２リンク部材は、弾性部材を挟んで互いに対向して配設され、第３リンク部材は、第１、第２リンク部材の外側に位置した状態で第１、第２軸部が、第１、第２リンク部材の第１、第２軸部の突出方向と直交する方向に配設されているので、第１、第２、第３リンク部材により、キートップ水平状態で上下動させることができ、キートップの操作性が良い。
【００２１】
また、キートップは、中央部付近が弾性部材に弾性付勢され、キートップのスライド支持部に支持されれるリンク部材のそれぞれの第１軸部は、第２軸部より弾性部材に近い側に配置されているので、弾性部材の付勢力を確実にキートップに伝達して、キートップをスムーズに昇降させることができる。
【００２２】
また、キートップが所定の上昇位置になると第１、第２リンク部材の第１軸部が第１、第２スライド支持部内で動きが規制されて、キートップが所定の上昇位置より上に上昇しないようになっているので、キートップの操作性が良い。
【００２３】
また、第３リンク部材は、他端部を第２軸部より外側に突出形成し、キートップが上昇位置に上昇すると、他端部がフィルムシートを介してベースプレートに当接してキートップが上昇位置より上に上昇しないようになっているので、キートップの取り外しが容易である。
【００２４】
また、リンク部材のそれぞれの第１軸部は、先端部がテーパ状に形成されているので、組立時にキートップの組付けが容易である。
【００２５】
また、回動支持部の支持部に支持したリンク部材の第２軸部を抜け止めするために、ベースプレートの一部を切り起こしして抜け止め部を形成したので、第２軸部を支持部に挿入後に、抜け止め部を切り起こして第２軸部を確実に抜け止めすることができる。
【００２６】
また、第１の切り起こし状態の抜け止め部を、リンク部材の他端部で押し下げて、第２軸部を支持部に仮止め支持し、その後、抜け止め部を直角状に切り起こしする第２の切り起こしで、リンク部材の第２軸部が支持部から抜け止めされるようにしたので、組み立て工程を組み替える自由度が増して、効率の良い組立を行うことができる。
【発明を実施するための最良の形態】
【００２７】
本発明は、パーソナルコンピュータ等の入出力機器に使用されるキーボード装置あるいは入力スイッチ装置に用いて好適なキーボードスイッチに関し、本発明のキーボードスイッチを図１〜図１７に基づいて説明する。
図１は本発明の第１の実施の形態を説明する平面図であり、図２は図１の正面図であり、図３は図１の右側面図であり、図４は図１の斜視図であり、図５は本発明に係わるキートップの上面図であり、図６は図５の６−６断面図であり、図７は図６の下面図であり、図８は本発明に係わる第１リンク部材の平面図であり、図９は図８の右側面図であり、図１０は本発明に係わる第２リンク部材の平面図であり、図１１は図１０の右側面図であり、図１２は本発明に係わる第３リンク部材の平面図であり、図１３は図１２の右側面図であり、図１４は本発明に係わるリンク部材の位置関係を説明する図であり、図１５は本発明の第２の実施の形態を説明する正面図であり、図１６は図１５の平面図であり、図１７は本発明に係わる抜け止め部を説明する平面図である。
【００２８】
まず、本発明の第１の実施の形態のキーボードスイッチ１は、図１〜図４に示すように、最上部にキートップ２が配設されている。このキートップ２は、樹脂材料等からなり、図５〜図７に示すように、外形が略矩形状に形成され、外周部が図６に示すように、ゆるやかなテーパ状の周壁２ａに囲まれて、裏面側が凹状に形成されている。
また、キートップ２には、凹状の裏面の中央部付近に、６方向に所定寸法で放射状に延長形成された位置決め部２ｂが所定の高さ寸法で下方側に突出形成されている。前記位置決め部２ｂに後述する弾性部材８の位置決め部８ａを位置させることにより、キートップ２が位置決め可能になっている。  
【００２９】
また、キートップ２の凹状の裏面には、図７に示すように、上下方向の中心線Ａ上で位置決め部２ｂを挟んだ上下位置には、一対の第１支持壁３、３が互いに対向して所定高さで突出形成されている。
この一対の第１支持壁３、３には、図６に示すように、角溝状の第１、第２スライド支持部３ａ、３ｂが、仕切壁３ｃを挟んで隣合わせて所定の幅寸法Ｂで形成されている。
そして第１スライド支持部３ａには、後述する第１リンク部材５の第１軸部５ｅがスライド自在に支持されるようになっている。また、第２スライド支持部３ｂには、後述する第２リンク部材６の第１軸部６ｅがスライド自在に支持されるようになっている。
また、一対の第１支持壁３、３には、互いに対向する部分のコーナ部が所定寸法で面取りされて面取り部３ｄが形成されている。
【００３０】
また、キートップ２の裏面で、中心線Ａを挟んだ左右には、図６に示すように、略Ｌ字状の一対の第２支持壁４、４が、互いに対向して所定高さで図示下向きに突出形成されている。
前記一対の第２支持壁４、４には、図６に示すように、溝状の第３スライド支持部４ａが形成され、この第３スライド支持部４ａに後述する第３リンク部材７の第１軸部７ｅがスライド自在に支持されるようになっている。
また、一対の第１支持壁４、４には、互いに対向する部分のコーナ部に所定寸法の面取り部４ｂが形成されている。
【００３１】
また、互いに対向して形成された第１スライド支持部３ａ、３ａにスライド自在に支持可能な第１リンク部材５は、図８に示すように、上部側の一端部５ａの中央部に略半円状の切り欠き部５ｂが形成され、この切り欠き部５ｂを挟んだ左右に一端部５ａ、５ａが形成されている。
前記一端部５ａ、５ａと直交する方向に互いに対向して、図示右側に一辺部５ｃと図示左側に他辺部５ｄとが形成されている。
【００３２】
そして、一辺部５ｃと他辺部５ｄとの、それぞれの一端部５ａからは、外向きに突出して第１軸部５ｅ、５ｅが形成されている。また、第１リンク部材５は、図９の右側面図に示すように、厚さが第１軸部５ｅの直径寸法より厚く形成され、第１軸部５ｅが図示左側の上側面５ｊに接して形成されている。
前記第１軸部５ｅの先端部には、上側面５ｊ側に所定寸法の面取り部５ｆが形成されて、第１軸部５ｅの先端部がテーパ状になっている。
また、第１リンク部材５は、一端部５ａと対向する図示下部側に一端部５ａ、５ａと平行な他端部５ｇが形成され、一辺部５ｃと他辺部５ｄとの、それぞれの他端部５ｇからは、第１軸部５ｅと同方向に突出して第２軸部５ｈ、５ｈが形成されている。この第２軸部５ｈは、図９に示す右側の下側面５ｋに接して形成されている。
【００３３】
また、第２スライド支持部３ｂ、３ｂにスライド自在に支持可能な第２リンク部材６は、後述する弾性部材８を挟んで、第１リンク部材５と対向する側に配設されて、図１０、図１１に示すように、第１リンク部材５とは左右対象形状に形成されている。
このような第２リンク部材６は、図１０に示すように、下部側の一端部６ａの中央部に略半円状の切り欠き部６ｂが形成され、この切り欠き部６ｂを挟んだ左右に一端部６ａ、６ａが形成されている。
前記一端部６ａ、６ａと直交する方向に互いに対向して、図示右側に一辺部６ｃと図示左側に他辺部６ｄとが形成されている。
【００３４】
そして、一辺部６ｃと他辺部６ｄとの、それぞれの一端部６ａからは、外向きに突出して第１軸部６ｅ、６ｅが形成されている。また、第２リンク部材６は、図１１の右側面図に示すように、厚さが第１軸部６ｅの直径寸法より厚く形成され、第１軸部６ｅが図示左側の上側面６ｊに接して形成されている。
前記第１軸部６ｅの先端部には、上側面６ｊ側に所定寸法の面取り部６ｆが形成され、第１軸部６ｅの先端部がテーパ状になっている。
また、第２リンク部材６は、一端部６ａと対向する図示上部側に一端部６ａ、６ａと平行な他端部６ｇが形成され、一辺部６ｃと他辺部６ｄとの、それぞれの他端部６ｇからは、第１軸部６ｅと同方向に突出して第２軸部６ｈ、６ｈが形成されている。この第２軸部６ｈは、図１１に示す右側の下側面５ｋに接して形成されている。
【００３５】
また、キートップ２の第３スライド支持部４ａ、４ａにスライド自在に支持可能な第３リンク部材７は、図１４に示す第１、第２リンク部材５、６の外側で図示上部側に配設されている。
即ち、第１〜第３リンク部材５、６、７は、それぞれが交叉しないように配設されている。
このように配設された第３リンク部材７は、第１、第２軸部７ｅ、７ｈが、第１、第２リンク部材５、６の第１軸部５ｅ、６ｅの突出方向と直交する方向に配設されている。
また、第３リンク部材７は、図１２に示すように、図示下部側の一端部７ａ中央に略コ字状の切り欠き部７ｂが形成され、この切り欠き部７ｂを挟んだ左右の一端部７ａ、７ａと直交する方向に互いに対向して図示右側に一辺部７ｃと図示左側に他辺部７ｄとが形成されている。
【００３６】
そして、一端部７ａ側の一辺部７ｃと他辺部７ｄとには、それぞれ外向きに突出して第１軸部７ｅ、７ｅが形成されている。また、第３リンク部材７は、図１３の右側面図に示すように、厚さが第１軸部７ｅの直径寸法より厚く形成され、第１軸部７ｅの先端部に所定寸法の面取り部７ｆが形成されて、第１軸部７ｅの先端部がテーパ状になっている。
また、第３リンク部材７は、一端部７ａと対向する図示上部側の他端部７ｇの一辺部７ｃと他辺部７ｄとには、第１軸部７ｅと同方向に突出して第２軸部７ｈが形成され、他端部７ｇは、第２軸部７ｈより外側に突出形成されて、他端部７ｇと第２軸部７ｈとの間に、角度αの傾斜面７ｊが形成されている。
【００３７】
また、キートップ２の位置決め部２ｂを位置決め可能な弾性部材８は、後述するフィルムシート９の所定位置に接着剤等で接着されて配設されている。
そして、弾性部材８は、図２に示すように、キートップ２を後述するベースプレート１０から寸法Ｃの高さ位置（上昇位置）に弾性付勢可能になっている。
前記弾性部材８は、内部がドーム状の空洞に形成され、頂部の位置決め部８ａにキートップ２の位置決め部２ｂを位置合わせすることにより、キートップ２が弾性部材８に位置決め可能になっている。
また、ドーム状の空洞内部の天井部には、スイッチ操作部（図示せず）が形成され、キートップ２を押圧して降下させると、弾性部材８が弾性変形して、スイッチ操作部が後述するフィルムシート９に形成した可動接点を操作してスイッチ回路を切り換え可能になっている。
【００３８】
また、キートップ２の裏面と対向する側には、図４に示すように、絶縁性のフィルムシート９を介してベースプレート１０が配設されている。
前記フィルムシート９は、図示を省略するが、例えば３枚のシート部材を積層したメンブレンスイッチからなり、上部シートに可動接点が形成され、中間シートを介して可動接点と対向する下部シートに固定接点が形成されている。
そして、キートップ２を押圧して弾性部材８を弾性変形させると、スイッチ操作部が上部シートを押圧して可動接点が固定接点に導通し、スイッチ回路が切り換わるようになっている。
【００３９】
また、フィルムシート９を載置するベースプレート１０は、例えばアルミニウム板等の金属板からなり、図１４に示すように、第１、第２リンク部材５、６の第２軸部５ｈ、６ｈを回動自在に支持可能な第１、第２回動支持部１０ａ、１０ｂが、それぞれ互いに対向して直角状に切り起こし形成されている。
また、第３リンク部材７の第２軸部７ｈを回動自在に支持可能な第３回動支持部１０ｃが、それぞれ互いに対向して切り起こしされて、第１、第２回動支持部１０ａ、１０ｂと直交する方向に形成されている。
前記第１、第２、第３回動支持部１０ａ、１０ｂ、１０ｃには、第１、第２、第３リンク部材５、６、７の他端部側に形成した第２軸部５ｈ、６ｈ、７ｈが回動自在に嵌合可能な嵌合孔１０ｄが形成されている。
また、フィルムシート９には、複数の逃げ孔９ａが貫通形成され、この逃げ孔９ａにベースプレート１０の第１、第２、第３回動支持部１０ａ、１０ｂ、１０ｃが挿通されて直立するようになっている。
また、フィルムシート９の可動接点、固定接点（図示せず）を形成した所定位置には、弾性部材８が接着剤等で接着可能になっている。
【００４０】
前述したような構成の本発明の第１の実施の形態のキーボードスイッチ１の組立を説明すると、まず、ベースプレート１０には、事前に弾性部材８を接着したフィルムシート９を載置する。すると、フィルムシート９のそれぞれの逃げ孔９ａから第１、第２、第３回動支持部１０ａ、１０ｂ、１０ｃが上方に直立して、弾性部材８が所定位置に位置する。
次に、一対の第１回動支持部１０ａに、第１リンク部材５の第２軸部５ｈ、５ｈを差し込むと共に、一対の第２回動支持部１０ｂに、第２リンク部材６の第２軸部６ｈ、６ｈを差し込む。
すると、第１、第２リンク部材５、６は、第２軸部５ｈ、６ｈを支点として、第１軸部５ｅ、６ｅを形成した一端部５ａ、６ａ側が回動自在になる。
【００４１】
また、一対の第３回動支持部１０ｃに第３リンク部材７の第２軸部７ｈ、７ｈを差し込むと、第３リンク部材７が第２軸部７ｈを支点として、第１軸部７ｅが形成された一端部７ａ側が回動自在となる。
即ち、第１、第２、第３リンク部材５、６、７は、他端部５ｇ、６ｇ、７ｇが、ベースプレート１０に形成したそれぞれの回動支持部１０ａ、１０ｂ、１０ｃに回動自在に支持されている。
そして、第１、第２、第３回動支持部１０ａ、１０ｂ、１０ｃに、第２軸部５ｈ、６ｈ、７ｈを支持した第１、第２、第３リンク部材５、６、７は、第１軸部５ｅ、６ｅ、７ｅ側を回動させて、図１４に示すように、第２軸部５ｈ、６ｈ、７ｈより弾性部材８に近い側に第１軸部５ｅ、６ｅ、７ｅを位置させる。
【００４２】
この時の第１、第２、第３リンク部材５、６、７は、水平状態となる。次に、キートップ２の位置決め部２ｂを弾性部材８の位置決め部８ａに位置決めした状態で、キートップ２を下方に押圧すると、弾性部材８のドーム状の空洞内部がつぶれて弾性変形し、キートップ２の第１、第２、第３スライド支持部３ａ、３ｂ、４ａが、第１、第２、第３リンク部材５、６、７の第１軸部５ｅ、６ｅ、７ｅ上にそれぞれ位置する。
【００４３】
そして、この状態のキートップ２を更に強く下方に押圧すると、第１、第２支持壁３、４にそれぞれ形成した面取り部３ｄ、４ｂが、第１軸部５ｅ、６ｅ、７ｅの面取り部５ｆ、６ｆ、７ｆにそって降下する。
このことにより、第１、第２、第３リンク部材５、６、７のそれぞれの切り欠き部５ｂ、６ｂ、７ｂが縮まる方向に弾性変形し、キートップ２の第１、第２、第３スライド支持部３ａ、３ｂ、４ａに、第１軸部５ｅ、６ｅ、７ｅがスライド自在にそれぞれ嵌合される。
その後、キートップ２に加えていた押圧力を解除すると、キートップ２が所定高さの上昇位置まで上昇して、本発明の第１の実施の形態のキーボードスイッチ１が組み立てられている。
【００４４】
このような第１の実施の形態のキーボードスイッチ１は、ベースプレート１０に第１、第２、第３リンク部材５、６、７の第２軸部５ｈ、６ｈ、７ｈを取り付けるだけで、第１軸部５ｅ、６ｅ、７ｅの位置が自動的に位置決めされ、キートップ２を位置決めして押圧するだけで、キートップ２を第１、第２、第３リンク部材５、６、７に組み付けることができ、組立性が良い。
また、従来例のようなリンク部材を位置決めするための台座を設けたベースフレームを不要とすることができる。
【００４５】
このように組み立てられた本発明の第１の実施の形態のキーボードスイッチ１の操作を説明すると、所定高さの上昇位置にあるキートップ２を押圧操作して降下させると、弾性部材８の空洞内部の接点操作部（図示せず）がフィルムシート９の可動接点を押し下げると、可動接点が固定接点に当接して導通する。
【００４６】
このことにより、スイッチ回路が切り換わり、パーソナルコンピュータ等に所定の入力を行うことができる。
また、スイッチ回路を切り換え後、キートップ２に加えていた押圧力を解除すると、弾性部材８が初期状態に復帰しようとする弾性力で、キートップ２がベースプレート１０から所定高さの上昇位置まで上昇する。
【００４７】
そして、キートップ２が寸法Ｃの上昇位置まで上昇すると、第１、第２リンク部材５、６の第１軸部５ｅ、６ｅが、キートップ２の第１、第２スライド支持部３ａ、３ｂ内で動きが規制されて、キートップ２がこれより上に上昇しないようになっている。
【００４８】
また、同時に第３リンク部材７の他端部７ｇが、フィルムシート９を介してベースフィルム１０に当接して、第３リンク部材７の回動が規制される。
そのために、弾性部材８の付勢力で寸法Ｃの上昇位置まで上昇したキートップ２は、ベースフプレート１０と平行な水平になった状態で動きが規制されるようになっている。
そして、本発明のキーボードスイッチ１に不具合等が発生して修理をする場合には、水平状態で上昇位置にあるキートップ２を上方に引っ張ることにより、第１、第２、第３リンク部材５、６、７からキートップ２を容易に取り外し可能になっている。
【００４９】
また、本発明の第２の実施の形態のキーボードスイッチ２１を、図１５〜図１７に基づいて説明する。本発明の第２の実施の形態のキーボードスイッチ２１は、ベースプレート２２だけが第１の実施の形態で説明したベースプレート１０と異なるので、ベースプレート２２以外の部材は、第１の実施の形態と同じ番号を付して説明する。
本発明の第２の実施の形態のキーボードスイッチ２１は、図１５に示すように、金属板からなるベースプレート２２の一部を切り起こしして、第１、第２回動支持部２２ａ、２２ｂが形成されている。
前記第１、第２回動支持部２２ａ、２２ｂは、一方側が開放されたＬ字状の支持部２２ｄが形成されている。また、第３リンク部材７を支持する第３回動支持部２２ｃも、図示は省略するが、第１、第２回動支持部２２ａ、２２ｂと同形状に形成されている。
【００５０】
そして、それぞれの支持部２２ｄに支持した第１、第２、第３リンク部材５、６、７の第２軸部５ｈ、６ｈ、７ｈを、抜け止めするための抜け止め部２２ｅが、ベースプレート２２の一部を直角状に切り起こしして形成されている。
前記抜け止め部２２ｅは、図１７に示すように、ベースプレート２２の一部をプレス等で打ち抜きして形成した打ち抜き部２２ｆによって、舌片状に形成されている。
そして、それぞれの支持部２２ｄに第１、第２、第３リンク部材５、６、７の第２軸部５ｈ、６ｈ、７ｈを挿入した状態で、舌片状の抜け止め部２２ｅを、直角状に切り起こしすることにより、支持部２２ｄに支持した第１、第２、第３リンク部材５、６、７の他端部５ｇ、６ｇ、７ｇに抜け止め部２２ｅが当接して、それぞれの第２軸部５ｈ、６ｈ、７ｈが支持部２２ｄから抜け止めされて回動自在になっている。
【００５１】
このような第２の実施の形態のキーボードスイッチ２１の組立は、それぞれの支持部２２ｄに第１、第２、第３リンク部材５、６、７の第２軸部５ｈ、６ｈ、７ｈを挿入した状態で、治具等で、舌片状の抜け止め部２２ｅを直角状に切り起こしする。
すると、それぞれの抜け止め部２２ｅが、第１、第２、第３リンク部材５、６、７の、それぞれの他端部５ｇ、６ｇ、７ｇに当接することにより、第２軸部５ｈ、６ｈ、７ｈが、第１、第２、第３支持部２２ａ、２２ｂ、２２ｃの、それぞれの支持部２２ｄから抜け止めされる。
【００５２】
本発明の第１の実施の形態のキーボードスイッチ１においては、第２軸部５ｈ、６ｈ、７ｈを支持部１０ｄにスナップ係合させるときに大きな力が必要であったが、本発明の第２の実施の形態のキーボードスイッチ２１では、それぞれの第２軸部５ｈ、６ｈ、７ｈを支持部２２ｄに挿入して、抜け止め部２２ｅを直角状に切り起こすことにより抜け止めできる。
そのために、第２の実施の形態のキーボードスイッチ２１は、組立時に大きな力が必要なく、組立が容易である。
尚、本発明の第２の実施の形態の説明では、第１、第２リンク部材５、６の他端部５ｇ、６ｇを抜け止めする抜け止め部２２ｅを、それぞれ２個で説明したが、１個でも良い。
【００５３】
また、第２の実施の形態の変形例として、図示は省略するが、組立前における舌片状の抜け止め部２２ｅは、第１の切り起こしで、ベースプレート２２に対する切り起こし角度を４５°以下の鋭角状に切り起こしされている。
そして、第１の切り起こし状態の抜け止め部２２ｅを第１、第２、第３リンク部材５、６、７で押し下げて、第２軸５ｈ、６ｈ、７ｈを、それぞれの支持部２２ｅに挿入することにより、第２軸５ｈ、６ｈ、７ｈが仮止め支持される。
その後、第１の切り起こし状態の抜け止め部２２ｅを、直角状に切り起こしする第２の切り起こしで、それぞれの第２軸部５ｈ、６ｈ、７ｈが支持部２２ｅから確実に抜け止めされるようになっている。
【００５４】
このような第２の実施の形態の変形例は、組立時に、第１の切り起こし状態の抜け止め部２２ｅで、第２軸５ｈ、６ｈ、７ｈを支持部２２ｄに仮止めした状態で、次工程の組立を行っても、第２軸部５ｈ、６ｈ、７ｈが支持部２２ｄから抜け出すことがない。
そのために、第２軸５ｈ、６ｈ、７ｈを支持部２２ｄに仮止め支持した状態で、組立を行い、最終工程で抜け止め部２２ｅを第２の切り起こしで直角状に切り起こししても良く、組み立て順序を効率の良い工程に組み替えて組立を行うことができる。
【００５５】
また、本発明の実施の形態では、第１、第２、第３リンク部材５、６、７を３個用いたもので説明したが、第１、第２リンク部材５、６だけでも良い。即ち、リンク部材は、キートップ２をベースプレート１０に対して昇降自在に支持するものが複数あれば良い。
【図面の簡単な説明】
【００５６】
【図１】本発明の第１の実施の形態を説明する平面図である。
【図２】図１の正面図である。
【図３】図１の右側面図である。
【図４】図１の斜視図である。
【図５】本発明に係わるキートップの上面図である。
【図６】図５の６−６断面図である。
【図７】図６の下面図である。
【図８】本発明に係わる第１リンク部材の平面図である。
【図９】図８の右側面図である。
【図１０】本発明に係わる第２リンク部材の平面図である。
【図１１】図１０の右側面図である。
【図１２】本発明に係わる第３リンク部材の平面図である。
【図１３】図１２の右側面図である。
【図１４】本発明に係わるリンク部材の位置関係を説明する図である。
【図１５】本発明の第２の実施の形態を説明する正面図である。
【図１６】図１５の平面図である。
【図１７】本発明の第２の実施の形態に係わる抜け止め部を説明する平面図である。
【図１８】従来のキーボードスイッチの要部断面図である。
【符号の説明】
【００５７】
１  本発明のキーボードスイッチ
２  キートップ
２ａ位置決め部
３  第１支持壁
３ａ  第１スライド支持部
３ｂ  第２スライド支持部
３ｃ  仕切壁
３ｄ  面取り部
４  第２支持壁
４ａ  第３スライド支持部
４ｂ  面取り部
５  第１リンク部材  
５ａ  一端部
５ｅ  第１軸部
５ｇ  他端部
５ｈ  第２軸部
６  第２リンク部材
６ａ  一端部
６ｅ  第１軸部
６ｇ  他端部
６ｈ  第２軸部
７  第２リンク部材
７ａ  一端部
７ｅ  第１軸部
７ｇ  他端部
７ｈ  第２軸部
８  弾性部材
８ａ  位置決め部
９  フィルムシート
９ａ  逃げ孔
１０  ベースプレート
１０ａ  第１回動部
１０ｂ  第２回動部
１０ｃ  第３回動部
【図１】
2004281366.tif 000003
【図２】
2004281366.tif 000004
【図３】
2004281366.tif 000005
【図４】
2004281366.tif 000006
【図５】
2004281366.tif 000007
【図６】
2004281366.tif 000008
【図７】
2004281366.tif 000009
【図８】
2004281366.tif 000010
【図９】
2004281366.tif 000011
【図１０】
2004281366.tif 000012
【図１１】
2004281366.tif 000013
【図１２】
2004281366.tif 000014
【図１３】
2004281366.tif 000015
【図１４】
2004281366.tif 000016
【図１５】
2004281366.tif 000017
【図１６】
2004281366.tif 000018
【図１７】
2004281366.tif 000019
【図１８】
2004281366.tif 000020